(57)【要約】【課題】  実現性の高い液体レンズ、液体レンズを備えた眼鏡および光学装置を提供する。【解決手段】  前側部材１１と後側部材１３の間に形成される液槽部１４において、前側部材１１と後側部材１３の間に熱可塑性樹脂からなるフィルム１２が積層されたレンズ体１０と、液槽部１４において前側部材１１とフィルム１２に挟まれた第１の密閉空間に充填される第１の液体と、第１の液体とは異なる屈折率を有し、液槽部１４においてフィルム１２と後側部材１３に挟まれた第２の密閉空間に充填される第２の液体と、液槽部１４内の各液体の量を調整する液量調整手段とを備え、第１の液体および第２の液体が、２５℃における動粘度１００ｍｍ２／ｓ以下の液体とする。【選択図】図１
2018180047.tif 000002
【特許請求の範囲】
【請求項１】
前側部材と後側部材の間に形成される液槽部において、前記前側部材と前記後側部材の間に熱可塑性樹脂からなるフィルムが積層されたレンズ体と、
前記液槽部において前記前側部材と前記フィルムに挟まれた第１の密閉空間に充填される第１の液体と、
前記第１の液体とは異なる屈折率を有し、前記液槽部において前記フィルムと前記後側部材に挟まれた第２の密閉空間に充填される第２の液体と、
前記第１の密閉空間に充填する前記第１の液体の量、および前記第２の密閉空間に充填する前記第２の液体の量を調整する液量調整手段とを備え、
前記第１の液体および前記第２の液体が、２５℃における動粘度１００ｍｍ２／ｓ以下の液体である
ことを特徴とする液体レンズ。
【請求項２】
前記第１の液体および／または前記第２の液体が、２５℃における動粘度７５ｍｍ２／ｓ以下の液体である
請求項１記載の液体レンズ。
【請求項３】
前記第１の液体および／または前記第２の液体が、２５℃における動粘度５０ｍｍ２／ｓ以下の液体である
請求項１または２記載の液体レンズ。
【請求項４】
前記フィルムが、フッ素系フィルムである
請求項１から３のいずれか１項記載の液体レンズ。
【請求項５】
前記液槽部の断面形状が、凸レンズ形状または正メニスカスレンズ形状である
請求項１から４のいずれか１項記載の液体レンズ。
【請求項６】
前記第１の液体および／または前記第２の液体が、シリコンオイルからなる
請求項１から５のいずれか１項記載の液体レンズ。
【請求項７】
前記第１の液体の屈折率と前記第２の液体の２５℃における屈折率の差が、０．１以上である
請求項１から６のいずれか１項記載の液体レンズ。
【請求項８】
前記第１の液体および前記第２の液体のうち、一方がジメチル系シリコンオイルであり、他方がメチルフェニル系シリコンオイルである
請求項１から７のいずれか１項記載の液体レンズ。
【請求項９】
前記フィルムが、引張伸度１００％以上のフィルムである
請求項１から８のいずれか１項記載の液体レンズ。
【請求項１０】
前記フィルムが、ガラス転移点温度１００℃以上のフィルムである
請求項１から９のいずれか１項記載の液体レンズ。
【請求項１１】
前記レンズ体における前記液槽部の領域の像と前記液槽部以外の領域の像が連続的になるように、前記前側部材の前面および／または前記後側部材の後面の曲率を部分的に変化させている
請求項１から１０のいずれか１項記載の液体レンズ。
【請求項１２】
請求項１から１１のいずれか１項記載の液体レンズを備えてなる
ことを特徴とする眼鏡。
【請求項１３】
請求項１から１１のいずれか１項記載の液体レンズを備えてなる
ことを特徴とする光学装置。
【発明の詳細な説明】
【技術分野】
【０００１】
本発明は、レンズ体内の液槽部に異なる屈折率の液体を充填することでレンズの屈折力を調整可能な液体レンズと、この液体レンズを備えた眼鏡および光学装置に関するものである。
【背景技術】
【０００２】
高齢者用の老視に対応する眼鏡として、老眼鏡が実用化されている。このうち、単焦点レンズを用いた老眼鏡では、手元以外を見る時には眼鏡を掛け替える必要がある。また、三焦点以上の複数の焦点を有する累進力レンズを用いた老眼鏡では、１枚のレンズに遠距離視認領域、中距離視認領域、および近距離視認領域などの複数の領域を持たせているため、各領域の縦方向の視野幅が狭くなるとともに、レンズ左右位置に画像のゆがみが生じやすくなってしまう。
【０００３】
一方、二焦点レンズは、各領域の視認範囲が累進力レンズに比べて広いため実用性が高いが、異なる２つの距離の視認領域の境界が不連続であり、機能上および見掛け上好ましくないという欠点があり、近年では余り使用されなくなった。そのため、現在は累進力レンズを用いて遠距離視認領域と中距離視認領域を組み合わせた老眼鏡と、中距離視認領域と近距離視認領域を組み合わせた老眼鏡の２つの老眼鏡を使い分けるユーザーが多いが、この場合だと２つの老眼鏡を掛け替えなければならないため不便であるとともに、眼鏡にかかる費用が高額となる。
【０００４】
このような問題を解消するため、特許文献１では、レンズ体内の液槽部に異なる屈折率の液体を充填することでレンズの屈折力を調整可能な液体レンズ（可変焦点レンズ）が提案されている。
【先行技術文献】
【特許文献】
【０００５】
【特許文献１】実公昭５８−２２１６１号公報
【発明の概要】
【発明が解決しようとする課題】
【０００６】
特許文献１の液体レンズは、前側部材と後側部材の間に形成される液槽部において、前側部材と後側部材の間に可撓性の透明膜が積層されたレンズ体と、液槽部において前側部材と透明膜に挟まれた前方密閉空間に充填される低屈折液と、液槽部において透明膜と後側部材に挟まれた後方密閉空間に充填される高屈折液と、前方密閉空間に充填する低屈折液の量および後方密閉空間に充填する高屈折液の量を調整する液量調整手段とを備え、液槽部内における低屈折液の量および高屈折液の量を調整することで、レンズの屈折力を調整可能としたものであるが、この液体レンズについて実用的な耐久性や安全性を持たせた上で実現するためには、液槽部内において２つの密閉空間を隔絶する透明膜、低屈折液、および高屈折液の物理特性が極めて重要となる。しかしながら、特許文献１では、これらについての具体的な開示が全くなされておらず、実現性に乏しい内容であった。
【０００７】
本発明は上記事情に鑑みなされたものであり、実現性の高い液体レンズ、液体レンズを備えた眼鏡および光学装置を提供することを目的とするものである。
【課題を解決するための手段】
【０００８】
本発明の液体レンズは、前側部材と後側部材の間に形成される液槽部において、前側部材と後側部材の間に熱可塑性樹脂からなるフィルムが積層されたレンズ体と、液槽部において前側部材とフィルムに挟まれた第１の密閉空間に充填される第１の液体と、第１の液体とは異なる屈折率を有し、液槽部においてフィルムと後側部材に挟まれた第２の密閉空間に充填される第２の液体と、第１の密閉空間に充填する第１の液体の量、および第２の密閉空間に充填する第２の液体の量を調整する液量調整手段とを備え、第１の液体および第２の液体が、２５℃における動粘度１００ｍｍ２／ｓ以下の液体であることを特徴とする。
【０００９】
本発明の液体レンズにおいては、第１の液体および／または第２の液体が、２５℃における動粘度７５ｍｍ２／ｓ以下の液体であることが好ましく、２５℃における動粘度５０ｍｍ２／ｓ以下の液体であることがより好ましい。
【００１０】
また、フィルムが、フッ素系フィルムであることが好ましい。
【００１１】
また、液槽部の断面形状が、凸レンズ形状または正メニスカスレンズ形状であることが好ましい。ここで、「凸レンズ形状」とは、両凸レンズ形状に限らず、平凸レンズ形状を含むものである。
【００１２】
また、第１の液体および／または第２の液体が、シリコンオイルからなることが好ましい。
【００１３】
また、第１の液体の屈折率と第２の液体の２５℃における屈折率の差が、０．１以上であることが好ましい。
【００１４】
また、第１の液体および第２の液体のうち、一方がジメチル系シリコンオイルであり、他方がメチルフェニル系シリコンオイルであることが好ましい。
【００１５】
また、フィルムが、引張伸度１００％以上のフィルムであることが好ましい。ここで、「引張伸度」とは、短冊状の試料を破断するまで引っ張り、試料が破断した時点でのフィルムの伸び率を計算したものである。引張伸度１００％とは、試料の初期長さの２倍の長さに伸びた状態を意味する。
【００１６】
また、フィルムが、ガラス転移点温度１００℃以上のフィルムであることが好ましい。
【００１７】
また、レンズ体における液槽部の領域の像と液槽部以外の領域の像が連続的になるように、前側部材の前面および／または後側部材の後面の曲率を部分的に変化させていることが好ましい。
【００１８】
本発明の眼鏡は、上記本発明の液体レンズを備えてなることを特徴とする。
【００１９】
本発明の光学装置は、上記本発明の液体レンズを備えてなることを特徴とする。
【発明の効果】
【００２０】
本発明によれば、レンズ体内の液槽部に異なる屈折率の液体を充填することでレンズの液槽部部分のレンズパワーを調整可能な液体レンズにおいて、液槽部内に配されるフィルムおよび液槽部内に充填される屈折率が異なる２種類の液体に関して、具体的な物理特性を見出したため、実現性の高い液体レンズと、この液体レンズを備えた眼鏡および光学装置を提供することができる。
【図面の簡単な説明】
【００２１】
【図１】本発明の一実施形態にかかる眼鏡の概略構成図
【図２】上記眼鏡における液体レンズの断面図
【図３】上記眼鏡における液体レンズの断面図
【図４】上記眼鏡における液体レンズの断面図
【図５】本発明の一実施例にかかる液体レンズの断面図
【図６】上記液体レンズの断面図
【発明を実施するための形態】
【００２２】
以下、本発明の実施形態について図面を参照して詳細に説明する。図１は本発明の一実施形態にかかる眼鏡の概略構成図、図２〜４は、上記眼鏡における液体レンズの断面図（図１におけるＩＩ−ＩＩ線断面図）である。
【００２３】
図１に示すように、本実施形態の眼鏡１は、老眼鏡として用いるものであり、眼鏡フレーム２０に本実施形態の液体レンズが取り付けられたものである。
【００２４】
本実施形態の液体レンズは、前側部材１１と後側部材１３の間に形成される液槽部１４において、前側部材１１と後側部材１３の間に熱可塑性樹脂からなるフィルム１２が積層されたレンズ体１０と、液槽部１４において前側部材１１とフィルム１２に挟まれた前方密閉空間（第１の密閉空間）に充填される低屈折液（第１の液体）４０と、液槽部１４においてフィルム１２と後側部材１３に挟まれた後方密閉空間（第２の密閉空間）に充填される高屈折液（第２の液体）４１と、前方密閉空間に充填する低屈折液４０の量および後方密閉空間に充填する高屈折液４１の量を調整する液量調整手段とを備えている。なお、必ずしも前方密閉空間に低屈折液を充填し、後方密閉空間に高屈折液を充填する必要はなく、これとは逆に、前方密閉空間に高屈折液を充填し、後方密閉空間に低屈折液を充填するようにしてもよい。
【００２５】
前側部材１１および後側部材１３は、一般的に眼鏡用レンズに使用されるガラスやプラスチックなどが使用可能である。
【００２６】
レンズ体１０の液槽部１４は、一般的な老眼鏡に用いる二焦点レンズと同様に、レンズ体の下半分の中心部付近に形成されている。液槽部１４の形状は円形に構成されている。レンズ体１０の液槽部１４以外の部分は、通常の単焦点の眼鏡と同様、中距離から遠距離視認領域として構成されている。また、レンズ体１０の液槽部１４部分は、液槽部１４に充填する２種類の液体の量を調整して液槽部１４におけるレンズパワー（屈折力）を変更することで、他の部分と同様に中距離から遠距離視認領域として使用するか、近距離視認領域として使用するかを変更できるように構成されている。
【００２７】
液量調整手段は、前方密閉空間に充填する低屈折液４０の量および後方密閉空間に充填する高屈折液４１の量を調整可能な構成であればどのような構成としてもよいが、一例として、具体的には、前方密閉空間に対して前方流路１５および送液チューブ３１を介して接続された第１シリンダー３０と、後方密閉空間に対して後方流路１６および送液チューブ３３を介して接続された第２シリンダー３２とから構成されている。第１シリンダー３０内には低屈折液４０が充填されており、第２シリンダー３２内には高屈折液４１が充填されている。第１シリンダー３０は眼鏡フレーム２０のレンズ枠２１の上部に取り付けられており、第２シリンダー３２は眼鏡フレーム２０のつる２２に取り付けられている。
【００２８】
図２に示すように、第１シリンダー３０から液槽部１４に低屈折液４０を送出することにより、第２シリンダー３２において高屈折液４１が流入すると、液槽部１４内のフィルム１２が後側部材１３側に撓み、液槽部１４内全体に低屈折液４０が充填される。これにより、液槽部１４におけるレンズパワーを低くすることができ、液槽部１４を中／遠距離視認領域として使用することが可能となる。
【００２９】
逆に、図３に示すように、第２シリンダー３２から液槽部１４に高屈折液４１を送出することにより、第１シリンダー３０において低屈折液４０が流入すると、液槽部１４内のフィルム１２が前側部材１１側に撓み、液槽部１４内全体に高屈折液４１が充填される。これにより、液槽部１４におけるレンズパワーを高くすることができ、液槽部１４を近距離視認領域として使用することが可能となる。
【００３０】
上記の様な液体レンズでは、レンズ体１０内に形成される前方流路１５および後方流路１６が太いとこれら流路部分が目立って眼鏡１の視認性が低下するため、前方流路１５および後方流路１６についてはできるだけ細い方が好ましい。
【００３１】
また、送液チューブ３１、３３は、太いと重量や体積の増加を招いてしまう。また眼鏡フレーム２０に液体レンズを取り付ける際にも、送液チューブ３１、３３を眼鏡フレーム２０に隠すのが困難になり、送液チューブ３１、３３が目立ってしまうという問題も生じる。従って、送液チューブ３１、３３についてもできるだけ細い方が好ましい。
【００３２】
上記の様な液体レンズを製作する場合、液槽部１４中の空気を抜きながら低屈折液４０および高屈折液４１を、レンズ体１０および液量調整手段に充填する必要があるため、液体注入用のノズルの径を細くする必要があるが、液体の粘度が高いと、径の細いノズルで液体を注入する事ができない。
【００３３】
また、液体レンズの完成状態において、液槽部１４に対する低屈折液４０および高屈折液４１の移動の際にも、液体の粘度が高いと、第１シリンダー３０または第２シリンダー３２の液体送出時の圧力を高くしなくてはならないため、継手部分からの液体漏れや、操作時に強い力が必要となって、操作感が低下するおそれがある。
【００３４】
従って、本実施形態の液体レンズにおいて、低屈折液４０および高屈折液４１としては、２５℃における動粘度１００ｍｍ２／ｓ以下の液体が用いられる。これにより、上記の問題を解消することができる。なお、低屈折液４０および／または高屈折液４１としては、２５℃における動粘度７５ｍｍ２／ｓ以下の液体であることが好ましく、２５℃における動粘度５０ｍｍ２／ｓ以下の液体であることがより好ましい。
【００３５】
低屈折液４０として用いる液体としては、水やメチルアルコールが挙げられるが、眼鏡１に使用する事を考えると、水は０℃で凍結し、メチルアルコールは６５℃で沸騰するため、寒冷地の屋外や、サウナ風呂においてはこれらの温度条件を越えてしまい、眼鏡１の破損などを招くおそれがある。
【００３６】
また、高屈折液４１として用いる液体としては、ジヨードメタン、ブロモナフタレン、アニリンなどの有機溶媒が挙げられるが、眼鏡１が破損したときなどに、これらの液体が誤って目に入ると好ましくない。
【００３７】
以上のことから、液体レンズを眼鏡１に組み込む場合には、無色透明で、物質として安定しており、使用環境温度の範囲が広く、人体に対して安全な液体を選択する必要があり、これらの条件を満足するのは、シリコンオイルとなる。従って、低屈折液４０および／または高屈折液４１は、シリコンオイルからなることが好ましい。
【００３８】
本実施形態の眼鏡１を老眼鏡として使用する場合、近距離視認領域としては、少なくとも＋２〜＋３Ｄ（ディオプター）か、可能であればそれ以上のレンズパワーが要求される。ここで、低屈折液４０と高屈折液４１の屈折率の差が小さいと、中／遠距離視認領域として使用する場合と近距離視認領域として使用する場合でレンズパワー差を大きくすることが困難となる。液槽部１４の曲率半径を小さくして厚みを厚くすれば高いレンズパワーを得ることができるが、レンズ容量が大きくなるとともに使用液体量が増えるため大きなシリンダーが必要となり、眼鏡フレーム２０の体積および重量が増加して、眼鏡としての商品性が低下してしまう。
【００３９】
眼鏡１を老眼鏡として使用する場合の液槽部１４の直径は少なくとも１６ｍｍ程度またはそれ以上が必要であり、実装上の点から液槽部１４に充填する液体容量を２００ｍｍ３以下に抑えると、低屈折液４０と高屈折液４１の２５℃における屈折率の差は、０．１以上であることが好ましく、０．１２以上であればより好ましい。これにより、液体レンズを肥大化させることなく、中／遠距離視認領域として使用する場合と近距離視認領域として使用する場合で、レンズパワー差を大きくすることが可能となる。
【００４０】
シリコンオイルでこの屈折率差を実現するためには、例えば、低屈折液４０としてジメチル系シリコンオイル（屈折率：１．４０３）を使用し、高屈折液４１としてメチルフェニル系シリコンオイル（屈折率：１．５０５）を使用すればよい。
【００４１】
熱可塑性樹脂からなるフィルム１２については、ガラスやプラスチックなどから形成されている前側部材１１および後側部材１３と同等の可視光透過率が要求されるため、可視光透過率が９０％以上のフィルムであることが好ましい。また、曲率を持った前側部材１１および後側部材１３にしわが発生しないように接着でき、かつ、液槽部１４内で隔壁としてしわを発生させずに移動させるためには、少なくとも引張伸度１００％以上のフィルムであることが好ましい。また、高温の耐久性としては、ガラス転移点温度１００℃以上のフィルムであることが好ましい。
【００４２】
また、フィルム１２については、上記の様な可視光透過率、機械的強度、および高温耐久性だけでなく、界面反射低減のため、屈折率が前側部材１１、後側部材１３、低屈折液４０、および高屈折液４１に近いことが要求される。
【００４３】
また、液体レンズ用のフィルムとして、シリコンゴムなどのエラトマー膜を使用する例があるが、液槽部１４に充填する液体としてシリコンオイルを使用すると、ゴムがシリコンオイルを吸収して膨潤し、弾性膜として機能しなくなる場合があるため、使用するシリコンオイルと親和性の無い（シリコンオイルの吸収がない）熱可塑性樹脂からなるフィルム素材を選択する必要がある。
【００４４】
フィルム１２についての上記の要求を全て満たす素材としてはフッ素系フィルムが挙げられるため、フィルム１２はフッ素系フィルムにより構成することが好ましい。
【００４５】
また、液槽部１４の断面形状は、本実施形態（図２および図３）で示しているような正メニスカスレンズ形状、または後述の実施例（図５および図６）で示しているような凸レンズ形状であることが好ましい。このような断面形状とすることで、図２（または図５）に示すように液槽部１４内に低屈折液４０を充填した場合、および図３（または図６）に示すように液槽部１４内に高屈折液４１を充填した場合のいずれの場合においても、フィルム１２が前側部材１１または後側部材１３に密着するため、液槽部１４内においてフィルム１２が不規則に歪むことがなくなり、レンズの品質を向上させることができる。また、液槽部１４内の液体を完全に入れ替えることができるため、中／遠距離視認領域として使用する場合と近距離視認領域として使用する場合でレンズパワー差を大きくすることが容易となる。
【００４６】
本実施形態の液体レンズにおいて、前側部材１１および後側部材１３をガラスにより構成した場合には、これらの屈折率は１．５０〜１．９０程度となる。前側部材１１および後側部材１３をプラスチックにより構成した場合には、これらの屈折率は１．５２〜１．７６程度となる。低屈折液４０および高屈折液４１としてシリコンオイルを用いる場合、高屈折液４１の屈折率は大きくとも１．５８程度で、通常はそれ以下である。そのため、上記の通り、低屈折液４０と高屈折液４１の２５℃における屈折率の差を０．１以上とすると、低屈折液４０の屈折率は必ず周囲の材料より低いものとなる。
【００４７】
液槽部１４の断面形状を凸レンズ形状または正メニスカスレンズ形状とした場合、液槽部１４内に周囲より屈折率の低い液体を充填すると、空気中の負レンズを通して見るように画角が縮小されて見える。逆に、液槽部１４内に周囲より屈折率の高い液体を充填すると、空気中の正レンズを通して見るように画角が拡大されて見える。
【００４８】
このように、液槽部１４内に充填されている液体の屈折率と、液体周囲の材料の屈折率との間に差があると、レンズ体１０における液槽部１４の領域の像と液槽部１４以外の領域の像が不連続となってしまう。
【００４９】
そのため、レンズ体１０における液槽部１４の領域の像と液槽部１４以外の領域の像が連続的になるように、前側部材１１の前面および／または後側部材１３の後面の曲率を部分的に変化させていることが好ましい。図４にその一例を示す。図４では、後側部材１３の後面において、液槽部１４の領域に液槽部１４以外の領域との曲率を変えた曲率変更部１７を設けることにより、液槽部１４以外の領域のパワーと比較し、液槽部１４に低屈折液４０を充填したことによる液槽部１４のパワーの目減り分を補うようにしている。これにより、液槽部１４に低屈折液４０を充填したときの、レンズ体１０における液槽部１４の領域の像と液槽部１４以外の領域の像が連続的になるように構成している。なお、像を連続的にするための方法については、上記のような曲率差によるものに限らず、レンズ体１０を構成する各部材の屈折率を部分的に変化させるなど、他の方法を取ることができる。
【００５０】
［実施例］
次に、本発明の眼鏡の実施例について説明する。図５、６は本発明の一実施例にかかる液体レンズの断面図である。
【００５１】
（１）まず、ポリカーボネート材（屈折率：１．５８６）を用いた射出成型にて、直径７０ｍｍの前側部材１１１および後側部材１１３を作成した。前側部材１１１および後側部材１１３を合せた状態で、レンズ体１１０全体の断面形状が負メニスカスレンズ形状になるように構成して、近視矯正が可能な形状とした。前側部材１１１の前面の曲率を３００ｍｍ、後側部材１１３の後面の曲率を１１０ｍｍとすることで、近視眼−３．５Ｄ（ディオプター）の矯正を行った。前側部材１１１と後側部材１１３との間に、直径２０ｍｍの凸レンズ形状となる液槽部１１４を構成し、それに繋がる流路１１５、１１６を構成した。前側部材１１１と後側部材１１３の接合面の曲率を３００ｍｍとした。低屈折率のシリコンオイル１４０と高屈折率のシリコンオイル１４１の屈折率差を０．１５とし、液槽部１１４におけるレンズパワーを＋３．０Ｄ（ディオプター）とする場合、液槽部１１４における前側部材１１１側および後側部材１１３側の曲率は約１００ｍｍとなり、液槽部１１４の厚みは約１ｍｍとなる。後側部材１１３の後面の曲率について、液槽部１１４の後面部分（曲率変更部１１７）は周囲の１１０ｍｍではなく約１２８０ｍｍとし、低屈折率のシリコンオイル１４０を充填した状態で、周囲と同様の−３．５Ｄ（ディオプター）の矯正機能を持ったレンズとして働くようにした。
【００５２】
（２）次に、後側部材１１３の液槽部１１４部分を除く接着面に、紫外線硬化型接着剤（電気化学工業（株）：ＯＰ−１０３０Ｚ）を塗布する。次に、フィルム１１２として、一定のテンションで張られた透明フッ素樹脂フィルム（旭硝子：アフレックス（ＥＴＦＥ）、厚み２５μｍ）を接着し、周囲の不要フィルムを切除する。次に、前側部材１１１の液槽部１１４部分を除く接着面に、同紫外線硬化型接着剤を塗布し、フィルム１１２接着済の後側部材１１３と接着する。
【００５３】
（３）完成したレンズ体１１０を眼鏡フレームのレンズ枠に入る大きさに機械加工する。液槽部１１４における前側部材１１１とフィルム１１２の間に低屈折率のシリコンオイル（信越化学工業（株）：ＫＦ−９６−１０ｃｓ）１４０を注射器で注入する。レンズ外周部の流路口に継手を差し込み接着し、チューブ（塩化ビニル製）１３１を継手と接続し、チューブ１３１内も同シリコンオイル１４０で満たす。単動シリンダー１３０の約半分まで同シリコンオイル１４０を入れ、チューブ１３１と接続する。なお、途中に空気が入らない様、これらの作業は、同シリコンオイル１４０のバスの中で行った。また、液槽部１１４におけるフィルム１１２と後側部材１１３の間に高屈折率のシリコンオイル（信越化学工業（株）：ＨＩＶＡＣ-Ｆ４）１４１を注入し、上記と同様に、チューブ１３３、シリンダー１３２と接続した。
【００５４】
（４）そして、眼鏡の左右のレンズ枠の各々について、上記のレンズ体１１０をレンズ枠にはめ込み、チューブ１３１をレンズ枠内にはめ込みながら１個のシリンダー１３０をレンズ枠上部に設置した。また、もう一方のチューブ１３３をレンズ枠内にはめ込みながら、シリンダー１３２をつるの中に配置した。このような構成とすることで、レンズ枠上部に配置したシリンダー１３０を操作する事により、つる内に配置したシリンダー１３２も連動して動き、液槽部１１４内に充填される液体について低屈折率のシリコンオイル１４０と高屈折率のシリコンオイル１４１を入れ替えることができるため、液槽部１１４におけるレンズパワーを変更することができる。
【００５５】
以上、本発明の眼鏡および液体レンズの好ましい実施形態および実施例について説明したが、本発明は上記実施形態に限定されず、種々の変形が可能である。
【００５６】
例えば、眼鏡のレンズ形状については、上記のような老眼鏡用のレンズ形状に限らず、レンズ体全体や液槽部部分において、近視、遠視、乱視の矯正機能を持たせるようにしてもよい。
【００５７】
また、レンズ体の液槽部内の充填する低屈折液と高屈折液とを完全に入れ替えるのではなく、段階的に入れ替えるようにして、累進力レンズの機能を持たせるようにしてもよい。
【００５８】
また、レンズ体の液槽部の形状についても、円形に限らず楕円形としてもよい。
【００５９】
また、レンズ体の液槽部の数についても、１つに限らず、複数形成してもよい。
【００６０】
液体レンズを組み合わせるものとしては、上記の眼鏡に限らず、例えばカメラなど、レンズを備える光学装置であれば、どのようなものに組み合わせてもよい。
【符号の説明】
【００６１】
１    眼鏡
１０、１１０    レンズ体
１１、１１１    前側部材
１２、１１２    フィルム
１３、１１３    後側部材
１４、１１４    液槽部
１５、１１５    前方流路
１６、１１６    後方流路
１７、１１７    曲率変更部
２０    眼鏡フレーム
２１    レンズ枠
２２    つる
３０、１３０    第１シリンダー
３１、１３１    送液チューブ
３２、１３２    第２シリンダー
３３、１３３    送液チューブ
４０、１４０    低屈折液（第１の液体）
４１、１４１    高屈折液（第２の液体）
【図１】
2018180047.tif 000003
【図２】
2018180047.tif 000004
【図３】
2018180047.tif 000005
【図４】
2018180047.tif 000006
【図５】
2018180047.tif 000007
【図６】
2018180047.tif 000008